(57)【要約】  長方形の基部本体（４）を含んでなる、拭取クロスホルダ（１）に配設するための平型拭取クロス（３）であって、基部本体（４）には微生物および／または細菌の増殖を阻止または抑制する作用物質が配され、基部本体（４）に繊維（５）、糸（６）または総（７）が配置されるとともに、作用物質は繊維（５）、糸（６）または総（７）が製造される材料の内部および／または基部本体（４）の一構成要素中に分散されている平型拭取クロスは、冒頭に述べたタイプの平型拭取クロスを、抗微生物作用を有する作用物質ができるだけ長く平型拭取クロス内に残存するとともに、湿潤した表面の汚れを特に速やかに吸い取ることができるように形成し、発展改良することを目的として、繊維（５）、糸（６）または総（７）は被拭取面に対向し得る自由端を有することを特徴とする。
2014524802.tif 000002
【特許請求の範囲】
【請求項１】
長方形の基部本体（４）を含んでなる、拭取クロスホルダ（１）に配設するための平型拭取クロス（３）であって、
前記基部本体（４）には微生物および／または細菌の増殖を阻止または抑制する作用物質が配され、
前記基部本体（４）に繊維（５）、糸（６）または総（７）が配置されるとともに、
前記作用物質は繊維（５）、糸（６）または総（７）が製造される材料の内部および／または前記基部本体（４）の一構成要素中に分散されている平型拭取クロスにおいて、
前記繊維（５）、糸（６）または総（７）は被拭取面に対向し得る自由端を有することを特徴とする平型拭取クロス。
【請求項２】
前記作用物質は前記材料の内部に均一に分散されていることを特徴とする請求項１に記載の平型拭取クロス。
【請求項３】
前記作用物質はナノスケールで存在していることを特徴とする請求項１または２に記載の平型拭取クロス。
【請求項４】
前記作用物質は銀元素または他の亜族元素を含有していることを特徴とする請求項１から３のいずれか一項に記載の平型拭取クロス。
【請求項５】
前記作用物質は銀塩として存在していることを特徴とする請求項１から４のいずれか一項に記載の平型拭取クロス。
【請求項６】
前記作用物質はセラミック支持体中に吸収されていることを特徴とする請求項１から５のいずれか一項に記載の平型拭取クロス。
【請求項７】
前記作用物質は、一本の繊維（５）、一本の糸（６）または一つの総（７）中に、０．０００１％〜２％の質量比率、好ましくは０．００１％〜０．０５％の質量比率で存在していることを特徴とする請求項１から６のいずれか一項に記載の平型拭取クロス。
【請求項８】
前記作用物質は、一本の繊維（５）、一本の糸（６）または一つの総（７）中に、０．００１％未満の質量比率で存在していることを特徴とする請求項１から７のいずれか一項に記載の平型拭取クロス。
【請求項９】
前記繊維（５）、糸（６）または総（７）が固定された少なくとも一つのベース層（１３）が設けられ、
前記ベース層（１３）の中および／または表面に、微生物および／または細菌の増殖を阻止または抑制する作用物質が分散されていることを特徴とする請求項１から８のいずれか一項に記載の平型拭取クロス。
【請求項１０】
前記作用物質は前記基部本体（４）にゾーン状に配され、
前記作用物質の存在するゾーンがパターンを形成することを特徴とする請求項１から９のいずれか一項に記載の平型拭取クロス。
【請求項１１】
前記繊維（５）、糸（６）または総（７）はマイクロファイバーを含むことを特徴とする請求項１から１０のいずれか一項に記載の平型拭取クロス。
【請求項１２】
前記基部本体（４）には、その中に拭取クロスホルダ（１）の受容体または支持翼（２）を挿入し得る少なくとも一つのポケット（８，８ａ）が配置されていることを特徴とする請求項１から１１のいずれか一項に記載の平型拭取クロス。
【請求項１３】
前記基部本体（４）には、拭取クロスホルダ（１）の受容機構に摩擦係止的または相補係止的にはさみ込み得るベルト（１０）が配置されていることを特徴とする請求項１から１２のいずれか一項に記載の平型拭取クロス。
【請求項１４】
前記基部本体（４）には、拭取クロスホルダ（１）の受容領域（１１）に相補係止的に係合し得る平面領域（１２）が配置されていることを特徴とする請求項１から１３のいずれか一項に記載の平型拭取クロス。
【請求項１５】
請求項１から１４のいずれか一項に記載の平型拭取クロス（３）を備えた拭取クロスホルダ（１）。
【発明の詳細な説明】
【技術分野】
【０００１】
本発明は、請求項１の前提部に記載の平型拭取クロスに関する。
【背景技術】
【０００２】
国際公開第０２／０７１９１４号から、拭取モップ用のクロスとして使用可能なクロス層が知られている。このクロス層は、銀が組み込まれた糸を有している。特に、この層は、層から突き出して形成されたループを有している。
【０００３】
独国実用新案第２０２００４０２０３１３号明細書から、微生物および／または細菌の増殖を阻止または抑制する作用物質が配された平型拭取クロスが知られている。具体的には、抗細菌および抗微生物性を示す銀イオンが提案されている。この公知の平型拭取クロスは、銀でコートされた繊維を有している。
【先行技術文献】
【特許文献】
【０００４】
【特許文献１】国際公開第０２／０７１９１４号
【特許文献２】独国実用新案第２０２００４０２０３１３号明細書
【発明の概要】
【発明が解決しようとする課題】
【０００５】
従来の技術から公知の平型拭取クロスは、抗微生物作用を有する作用物質が比較的容易に周囲環境に放出されてしまうという短所を有している。
【０００６】
僅か数回の洗浄後には、銀のコーティングはほぼ完全に繊維から失われてしまう。平型拭取クロスは、従って、もはやその抗微生物ないし抗細菌作用を発揮することはできない。
【０００７】
そこで、本発明の目的は、冒頭に述べたタイプの平型拭取クロスを、抗微生物作用を有する作用物質ができるだけ長く平型拭取クロス内に残存するとともに、湿潤した表面の汚れを特に速やかに吸い取ることができるように形成し、発展改良することである。
【課題を解決するための手段】
【０００８】
本発明は、請求項１に記載した特徴によって、上記課題を解決する。
拭取クロスホルダに配設するための本発明による平型拭取クロスは長方形の基部本体を含んでなり、前記基部本体には微生物および／または細菌の増殖を阻止または抑制する作用物質が配され、前記基部本体に繊維、糸または総が配置されるとともに、前記作用物質は繊維、糸または総が製造される材料の内部および／または前記基部本体の一構成要素中に分散されている。
本発明によれば、前記繊維、糸または総は被拭取面に対向し得る自由端を有している。
【０００９】
本発明によれば、先ず、できるだけ長く平型拭取クロス内に残存するようにするには、前記作用物質は前記繊維、糸または総が製造される材料の内部に分散されていなければならないことが判明した。さらに、または別法として、前記作用物質は前記構成要素の内部に吸収されていること、つまり、前記構成要素中に取り込まれていることが重要である。
【００１０】
その組み込まれた作用物質は、洗浄によっても、前記繊維、糸または総の母材ないし前記構成要素からきわめて緩慢にしか溶出されないことになる。好適なことに、平型拭取クロスは、特に消毒洗浄に際して、６０℃にて２００〜１３００回の洗浄サイクル後になお抗微生物作用を示す。
【００１１】
さらに、自由端を有する繊維、糸または総は、水に溶けた汚れがそれに沿って容易に運搬されおよび／または取り込まれ得る一種のウィッキング効果を発揮することが判明した。自由端が、湿潤した被拭取面に対向させられる限り、汚れの粒子は驚くほど容易に、繊維、糸または総によって吸収される。
【００１２】
吸収された汚れ、ないし吸収された汚れの粒子は抗微生物作用を有する作用物質と接触するため、不快な臭気の形成、カビまたは菌類の形成は、ほぼ毎日行なわれる消毒洗浄前に既に効果的に抑止ないし減少される。
【００１３】
自由端が形成されていることにより、閉端および／またはループが形成されている場合とは異なって、平型拭取クロス内への汚れおよび水の運搬を促進するウィッキング効果が生じるだけでなく、さらに、被拭取面の粗い構造に、繊維、糸または総が引っかかり、拭取が妨げられたりすることが防止される。特に、木片または釘がある板床の拭取の際に、または安全タイルの拭取の際に、そのような粗い構造が現れることがある。
【００１４】
従って、本発明による平型拭取クロスによれば、フロアの問題ない拭取が可能となる。その点において、湿潤した面から汚れを容易に取り除くとともに、恒久的な耐洗浄性によって卓越した平型拭取クロスが提供される。
【００１５】
従って、上述した課題が解決された。
【００１６】
前記作用物質は前記材料の内部に均一に分散していてよい。そのために、前記作用物質は、ポリエステル、ポリアミド、ポリプロピレンまたは繊維製造に慣用の類似の材料からなる溶融物中に取り込まれることができる。溶融物中への前記作用物質の均一な分散の後、繊維、特にマイクロファイバーは押出成形により製造することができる。これにより、前記作用物質は繊維体の内部に一様均質に分散している。こうして、周囲環境への前記作用物質の漸次的な放出が保証される。
【００１７】
こうした背景から、作用物質はナノスケールで存在することができよう。ナノスケールで存在する作用物質は、最大直径が１μｍ以下の微粒子を有する。ナノスケールで存在する作用物質は特に大きな表面積であるため、従って、微生物、細菌または菌との間に特に優れた相互作用が可能である。
【００１８】
前記作用物質は、銀元素または他の亜族元素を含有することができよう。前記作用物質は銀元素として存在していてよいであろう。銀元素は、とりわけ問題なく、溶融物中に加工可能である。前記作用物質は、少なくとも一つの亜族元素を含むことができよう。亜族元素は抗微生物作用によって特徴付けられる。こうした背景から、異なる種類の微生物に選択的に対処し得るように、前記作用物質中に複数の亜族元素を共存させることが考えられる。一連のテストにより、使用される物質には抗微生物作用に関して序列があることが判明した。銀以外に、水銀、銅、カドミウム、クロム、鉛、コバルト、金、亜鉛、鉄および、最後にマンガンが知られている。こうした背景から、抗微生物作用を示す主族元素を使用することも思量可能である。
【００１９】
抗微生物作用を有する作用物質は、金・銀混合物を含んで、またはもっぱら金・銀混合物からなっていてよいであろう。このような混合物は、特に高い抗微生物作用を示す。驚くべきことに、金の存在によって銀の抗微生物作用がさらに高められることが判明した。こうした背景から、銀に金をドープすることが思量可能である。また、金のみまたは銀のみだけでなく、これらの物質の混合物のいずれかが含まれた島またはクラスタを形成することも思量可能である。この場合、異なる組成の島またはクラスタが共存してもよい。
【００２０】
作用物質には、アルミニウムが混合されていてもよい。例えば銀は酸化プロセスによって褐色を帯びるが、アルミニウムは長期間の光沢および／または改善された外観をもたらす。アルミニウムは、抗微生物性の作用物質の放出速度のさらなる緩和をもたらす。
【００２１】
作用物質は銀塩として存在していてもよいであろう。銀塩は、問題なく溶解および加工が可能である。
【００２２】
作用物質は、セラミック支持体に吸収されていてもよい。好ましくは、作用物質はセラミックボールに吸収されている。セラミック支持体は、作用物質は溶融物中に問題なく分散されることを保証する。セラミック支持体の使用により、混合の問題が回避することができる。
【００２３】
こうした背景から、作用物質は、一本の繊維、一本の糸または一つの総中に、０．０００１％〜２％の質量比率、好ましくは０．００１％〜０．０５％の質量比率で存在していてよいであろう。前者の範囲は、一方で、十分な抗微生物作用が保証されるようにするとともに、他方で、平型拭取クロスが、その抗微生物作用を失うことなく、６０℃にて約２００〜１３００回の洗浄に耐えることを保証する。後者の０．００１％〜０．０５％の範囲は、抗微生物作用を与えるが、他方で周囲環境へ比較的僅かに抗微生物性の作用物質が放出されるにすぎないことを保証する。
【００２４】
作用物質は、一本の繊維、一本の糸または一つの総中に、０．００１％以上の質量比率で存在していてもよいであろう。この実施態様の平型拭取クロスは使い捨て品として使用可能である。このような平型拭取クロスは、ほんの数回、最大１００回しか洗浄に耐えられず、１００〜１５００回の洗浄回数では、もはや抗微生物作用を示さない。
【００２５】
平型拭取クロスは、繊維、糸または総が固定された少なくとも一つのベース層が設けられ、前記ベース層の中および／または表面に、微生物および／または細菌の増殖を阻止または抑制する作用物質が分散されていてよいであろう。この具体的な実施態様により、ベース層の領域でもカビまたは菌類の形成を防止することが保証される。ベース層に使用される作用物質は、上記の濃度および状態で存在していてよい。拭取作業の終了後、繊維、糸または総はベース層に被せられて置かれていることが多い。ベース層に抗微生物作用を有する作用物質が備えられていれば、繊維、糸または総は、それらに本来備えられている抗微生物作用に加えて、さらにベース層によっても、カビ形成が防止されるようにすることが可能であろう。
【００２６】
ベース層に配された作用物質は、湿ったないし濡れた環境では、一定の距離を経てもその抗微生物作用を発揮する。実験によれば、実験装置内で抗微生物性が備えられなかった平型拭取クロスの他の部分も菌増殖が防止されることが判明した。こうした背景から、拭取クロスホルダは、抗微生物が備えられた平型拭取クロスとの接触により、少なくとも部分的に菌増殖から保護されるようにすることが可能である。平型拭取クロスは、湿潤環境において、この湿潤環境内に銀イオンを放出することにより、僅かな距離を経て、つまりミリメートルスケールで一種の抗微生物性の遠隔作用を発揮する。
【００２７】
こうした背景から、作用物質は基部本体にゾーン状に配され、作用物質の存在するゾーンがパターンを形成するようにすることができよう。この具体的な実施態様により、基部本体において負荷の大きい領域に、よりいっそう作用物質が備えられるようにすることが可能である。
【００２８】
繊維、糸または総はマイクロファイバーを含むことができよう。マイクロファイバーは、１〜１００μｍの直径を有している。マイクロファイバーは押出成形によって製造することが可能である。さらに、マイクロファイバーは、多成分繊維の分割によって製造することも可能である。
【００２９】
基部本体には、その中に拭取クロスホルダの受容体を挿入し得る少なくとも一つのポケットが配置されていてよいであろう。この具体的な実施態様により、いわゆる“蝶型”または“ポケット型”モップを平型拭取クロスと結合することができる。このような拭取クロスホルダは、平型拭取クロスに配された二個のポケットに挿入可能な相互に旋回可能な二枚の支持翼を有している。これらポケットは、平型拭取クロスの長方形の基部本体の長手方向の両端部に配置されている。
【００３０】
基部本体には、拭取クロスホルダの受容機構に摩擦係止的または相補係止的にはさみ込み得るベルトが配置されていてよいであろう。そのために、ベルトは、長方形の基部本体の長手方向の両端部の領域に配置されている。ベルトは、拭取クロスホルダの支持翼の周りを囲んで配置され、平型拭取クロスが張力を受ける。ベルトは、拭取クロスホルダの支持翼上のクリップ状のスリットに挿入され得る。こうして、ベルトと、拭取クロスホルダの支持翼との間に相補係止的に結合が生じる。
【００３１】
基部本体には、拭取クロスホルダの受容領域に相補係止的に係合し得る平面領域が配置されていてよいであろう。こうした背景から、特に、拭取クロスホルダの支持翼の下側に受容領域を形成することが具体的に思量可能である。この受容領域は、基部本体に配置された平面領域と協同して、面ファスナーが形成されるようにすることができよう。さらに、平面領域ならびに受容領域にいわゆるベルクロ式の接合要素を設けることが思量可能である。
【００３２】
拭取クロスホルダは、本願明細書に述べたタイプの平型拭取クロスを備えることができよう。このような拭取クロスホルダは、顕著な抗微生物作用によって卓越している。つまり、平型拭取クロスの総中に組み込まれた作用物質は、湿潤環境において、一定の距離を経てもその抗微生物作用を発揮する。
【００３３】
実験によれば、実験装置内で抗微生物性が備えられなかった平型拭取クロスの他の部分、例えばベース層、ベルトまたは平面領域も菌増殖が防止されることが判明した。
【００３４】
こうした背景から、拭取クロスホルダは、抗微生物が備えられた平型拭取クロスとの接触により、少なくとも部分的に菌増殖から保護されるようにすることが可能である。平型拭取クロスは、湿潤環境において、この湿潤環境内に銀イオンを放出することにより、僅かな距離を経て、つまりミリメートルスケールで一種の抗微生物性の遠隔作用を発揮する。
【００３５】
平型拭取クロスは、ベロア状平型拭取クロスとして形成されていてよいであろう。ベロア材料は、ベース層に多数の繊維からなる糸が配設されて製造される。
【００３６】
平型拭取クロスは総を有していてよいであろう。このような平型拭取クロスは、タフティングまたは縁飾り形成によって製造されていてよい。このような平型拭取クロスは比較的問題なく製造可能である。縁飾り形成は、ベース層に、複数本の糸、好ましくは互いに拠り合わされた６本の糸からなる束または総が縫い付けられる。
【００３７】
本発明の技術思想を好適に実施および発展改良する様々な方法が存在する。このために、一方で、従属請求項の記載を、他方で、以下に図面を参照して行なう本発明による平型拭取クロスの好ましい実施例の説明を参照されたい。
【００３８】
以下、図面を参照して行なう好ましい実施例の説明と共に、本発明の技術思想の一般に好ましい実施態様および発展形態も説明する。
【図面の簡単な説明】
【００３９】
【図１】旋回可能な支持翼を備えた拭取クロスホルダの斜視図。
【図２】支持翼が相互に傾斜している、図１に示した拭取クロスホルダの斜視図。
【図３】支持翼を収容するためのポケットを備えた平型拭取クロスを示す図。
【図４】図３に示した平型拭取クロスが配設された拭取クロスホルダの斜視図。
【図５】支持翼の上面ないし正面に、ベルトを収容するためのクリップ状の成形要素、つまりスリットが備えられた拭取クロスホルダの斜視図。
【図６】長手方向の両端部にそれぞれ一つのベルトが配設された平型拭取クロスを示す図。
【図７】図６に示した平型拭取クロスが配設された拭取クロスホルダを示す図。
【図８】拭取クロスホルダの斜視図。
【図９】支持翼の下面に、方形の受容領域が配置されている図８に示した拭取クロスホルダを示す図。
【図１０】図９に示した拭取クロスホルダの受容領域に相補係止的に係合し得る平面領域が基部本体に配置されている平型拭取クロスを示す図。
【図１１】図１０に示した平型拭取クロスが係合された、図８および図９に示した拭取クロスホルダの斜視図。
【図１２】その長さが弾性的に可変な単一の支持翼を備えた拭取クロスホルダを示す図。
【図１３】基部本体の全長を越える単一のポケットを備えた平型拭取クロスを示す図。
【図１４】図１３に示した平型拭取クロスが配設された、図１２に示した拭取クロスホルダの斜視図。
【図１５】その長さが弾性的に可変な単一の支持翼を備えた拭取クロスホルダを示す図。
【図１６】基部本体が、単一のポケットを形成する二つの層から構成されている平型拭取クロスを示す図。
【図１７】図１６に示した平型拭取クロスが装着された、図１５に示した拭取クロスホルダの斜視図。
【図１８】繊維、糸または総が付設可能なベース層を示す図。
【図１９】総が縫い付けられた布切れを示す図。
【図２０】図１９に示した布切れの別の図。
【図２１】図１９および図２０に示した布切れが縫い付けられた、図１８に示したベース層の斜視図である。
【図２２】ループが配されたベース層を示す図。
【図２３】ループが重なり合っている、図２２に示したベース層を示す図。
【図２４】別のベース層を示す図。
【図２５】糸の自由端が突き出しているクロス層を示す図である。
【図２６】糸がクロス層に配された穴を突き抜けないしクロス層に織り込まれた、図２５に示したクロス層を裏返して示す図。
【図２７】図２４に示したベース層が、図２５および図２６に示したクロス層と縫い付けられた平型拭取クロスの斜視図。
【発明を実施するための形態】
【００４０】
図１は、相互に旋回可能な二枚の支持翼２を備えた拭取クロスボルダ１を示している。図２には、支持翼２が短い横軸を中心に相互に傾斜して、鋭角を形成している状態が示されている。
【００４１】
図３は、長方形の基部本体４を含んでなる、拭取クロスホルダ１に配設するための平型拭取クロス３を示しており、基部本体４には微生物および／または細菌の増殖を阻止または抑制する作用物質が配され、基部本体４に繊維５が配置されるとともに、作用物質は繊維５、糸６または総７が製造される材料の内部に分散されている。繊維５、糸６または総７はそれぞれ被拭取面に対向し得る自由端を有している。基部本体４には、その中に拭取クロスホルダ１の受容体または支持翼２を挿入し得る二つのポケット８が配置されている。具体的には、長方形の基部本体４の長手方向の両端部にそれぞれポケット８が配置されている。
【００４２】
図４は、支持翼２がポケット８に挿入された状態を示している。このように、平型拭取クロス３は拭取クロスホルダ１に固定される。
【００４３】
図５は、支持翼２にそれぞれクリップ形の成形要素９が配置された拭取クロスホルダ１の斜視図を示している。これらのクリップ形の成形要素９は、支持翼２の、通常、被拭取面とは反対の上面側に配置されている。
【００４４】
図６は、平型拭取クロス３の斜視図であり、長方形の基部本体４の長手方向の両端部にベルトが配置されており、該ベルトは受容機構つまり拭取クロスホルダ１のクリップ形の成形要素９に摩擦係止的または相補係止的にはさみ込まれる。
【００４５】
これは、具体的には、図７に示されている。図６に示す平型拭取クロス３は、ベルト１０がクリップ形の成形要素９によって把持されることにより、拭取クロスホルダ１に固定される。
【００４６】
図８は、単一の支持翼２を備えた拭取クロスホルダ１の別の斜視図を示している。
【００４７】
図９には、支持翼２の下面に、受容領域１１が配置された状態が示されており、ここに、図１０に示した平型拭取クロス３の基部本体４に設けられた平面領域１２が係合される。
【００４８】
図１１には、図１０に示した平型拭取クロス３が、図９に示した拭取クロスホルダ１に固定された状態が示されている。受容領域１１ならびに平面領域１２は相補係止的な面ファスナーないしベルクロとして形成されている。
【００４９】
図１２は、その長さが弾性的に可変な単一の支持翼２を備えた拭取クロスホルダ１を示している。この目的のために、支持翼の部材２ａは、支持翼２の部材２ｂの内部に弾性的に摺動可能である。
【００５０】
図１３には、長方形の基部本体４に、基部本体４のほぼ全長を超える単一のポケット８ａが形成された平型拭取クロス３が示されている。ポケット８ａは弓形をなすポケットとして形成されている。このポケット８ａは一種のサックとして機能する。
【００５１】
図１４には、支持翼２が弓形のポケット８ａの内に摩擦係止的に収容された状態が示されている。支持翼２が備える弾性力によって、支持翼２は弓形のポケット８ａの内部に保持される。
【００５２】
図１５は、その長さが弾性的に可変な単一の支持翼２を備えた拭取クロスホルダ１を示している。図１５に示した拭取クロスホルダ１は、図１２に示した拭取クロスホルダ１と同様に構成されている。ただし、図１２に示した拭取クロスホルダ１とは異なり、図１５に示した拭取クロスホルダは、拭取クロスホルダ１の上面と下面の両方が被拭取面に対向することができるように、柄と連結されている。
【００５３】
図１６には、基部本体４が二つの層４ａ、４ｂから構成された平型拭取クロス３が示されている。層４ａ、４ｂは、図１５に示した拭取クロスホルダ１の支持翼２が摩擦係止的に挿入される単一のポケットを形成する。
【００５４】
図１８はベース層１３を示している。図１９は、総７が縫い付けられた布切れ１４を示している。総７は、多数の糸から作られている。これによって、縁飾りが形成される。図２０には、縁飾りが示されている。総７は、布切れなしで、互いに直接縫い付けられてもよい。
【００５５】
図２１は、図１９と図２０に示した縁飾りの布切れ１４が、図１８に示したベース層１３に縫い付けられた状態を示している。
【００５６】
図２２は、芯のような自由端のないループ１５が取り付けられたベース層１３を示している。従って、図２２は、本発明による平型拭取クロス３を示すものではない。
【００５７】
図２３は、ループ１５が重なり合った、図２２に示した態様を示している。図２２は、本発明による平型拭取クロス３を示すものではない。
【００５８】
図２４は、図２５または２６に示した形成物を縫い付けることのできる別のベース層１３を示している。ただし、図２５および２６に示した形成物は、単独で平型拭取クロス３の製造するために使用することも可能である。図２５および図２６に示した形成物は、糸６が絡み付けられまたは織り込まれて、糸６の自由端がクロス層１６から突き出たクロス層１６を含んでいる。
【００５９】
図２７は、図２５および図２６に示した形成物がベース層１３と縫い付けられた態様を示している。
【００６０】
図１から２７に示したすべての平型拭取クロス３において、作用物質は、繊維５、糸６または総７が製造される材料の内部に均一に分散されている。
作用物質はナノスケールで存在している。作用物質は銀元素として存在していてよく、銀塩としてかまたはセラミック支持体に吸収された形で存在していてもよい。
好ましくは、作用物質は、一本の繊維５、一本の糸６または一つの総７中に、０．０００１％〜２％の質量比率、好ましくは０．００１％〜０．０５％の質量比率で存在している。
繊維５、糸６または総７はベース層１３に固定されており、その際、微生物および／または細菌の増殖を阻止または抑制する作用物質は、ベース層１３の中および／または表面に分散されている。
作用物質は、基部本体４にゾーン状に配され、作用物質の存在するゾーンがパターンを形成するようになされていてよい。
繊維５、糸６または総７への作用物質の埋封は、抗菌作用または抗微生物作用を喪失しないようにして、繊維５、糸６または総７の染色を可能にする。
基部本体４の構成要素としてのベース層１３も、その抗菌作用または抗微生物作用を喪失しないようにして染色可能である。
作用物質は総７中にのみ存在するようにすることも考えられる。ただし、基部本体４の構成要素を表すベース層１３中にのみ作用物質が存在するようにすることも可能である。
ただし、上述した遠隔作用は、ベース層１３が比較的多く作用物質が添加された場合にのみ生ずることになろう。最後に、作用物質がベース層１３と総７との双方に存在するようにすることも可能である。
作用物質は、基部本体４に別個に被着された、拭取のために必要な機能を果たさないクロス要素中に存在していてもよい。それゆえ、抗微生物性の作用物質の支持体としてのみ形成されているにもかかわらず、このクロス要素は基部本体４の一構成要素である。重要な点は、作用物質がこの構成要素内部に吸収されていること、つまり、この構成要素内部に取り込まれていることである。
【００６１】
本発明による技術思想のその他の有利な実施態様および発展形態については、一方で、本願明細書の一般的な部分を、他方で、添付の特許請求の範囲を参照されたい。
【図１】
2014524802.tif 000003
【図２】
2014524802.tif 000004
【図３】
2014524802.tif 000005
【図４】
2014524802.tif 000006
【図５】
2014524802.tif 000007
【図６】
2014524802.tif 000008
【図７】
2014524802.tif 000009
【図８】
2014524802.tif 000010
【図９】
2014524802.tif 000011
【図１０】
2014524802.tif 000012
【図１１】
2014524802.tif 000013
【図１２】
2014524802.tif 000014
【図１３】
2014524802.tif 000015
【図１４】
2014524802.tif 000016
【図１５】
2014524802.tif 000017
【図１６】
2014524802.tif 000018
【図１７】
2014524802.tif 000019
【図１８】
2014524802.tif 000020
【図１９】
2014524802.tif 000021
【図２０】
2014524802.tif 000022
【図２１】
2014524802.tif 000023
【図２２】
2014524802.tif 000024
【図２３】
2014524802.tif 000025
【図２４】
2014524802.tif 000026
【図２５】
2014524802.tif 000027
【図２６】
2014524802.tif 000028
【図２７】
2014524802.tif 000029
【国際調査報告】
2014524802.tif 000030
2014524802.tif 000031
2014524802.tif 000032
2014524802.tif 000033
2014524802.tif 000034
2014524802.tif 000035
2014524802.tif 000036
2014524802.tif 000037
2014524802.tif 000038
2014524802.tif 000039